(57)【特許請求の範囲】
【請求項１】
樹脂製のカバー部材によって全体が覆われたボディユニットと、
前記カバー部材の内側に配される固定部材と、
前記カバー部材に形成された開口から内側に一端が嵌入され、前記カバー部材の内側において一端が前記固定部材に支持されるユニット連結用部材と、
前記カバー部材の外側に配される金属製の補強部材と、
前記カバー部材の内外に配された前記固定部材と前記補強部材とを、前記カバー部材を挟んで締結する締結部材と
を備えていることを特徴とする電子カメラ。
【請求項２】
請求項１に記載の電子カメラにおいて、
前記カバー部材は、略直方体状であり、
前記補強部材は、前記カバー部材の開口を含む連結面から該連結面に垂直な第１側面にかけて前記カバー部材の外側に沿って伸張された第１補強部材と、前記連結面から前記第１側面に対向する第２側面にかけて前記カバー部材の外側に沿って伸張された第２補強部材とで構成されている
ことを特徴とする電子カメラ。
【請求項３】
請求項２に記載の電子カメラにおいて、
前記締結部材は、複数のビスであり、
前記固定部材は、前記複数のビス用の雌ねじが形成された金属製の板材であり、
前記カバー部材は、前記連結面の大部分と前記第１側面とを含む第１カバー部材と、前記第２側面を含む第２カバー部材とで構成され、
前記カバー部材における前記複数のビス用の貫通孔は、前記連結面の前記第１カバー部材側に全て形成され、
前記補強部材における前記複数のビス用の貫通孔は、前記連結面に当接する前記第１補強部材および前記第２補強部材に分けて形成されている
ことを特徴とする電子カメラ。
【請求項４】
請求項３に記載の電子カメラにおいて、
前記複数のビス各々の頭部には、前記補強部材との当接面に突起が設けられている
ことを特徴とする電子カメラ。
【発明の詳細な説明】
【０００１】
【発明の属する技術分野】
本発明は、ビデオカメラやディジタルスチルカメラなどの電子カメラに関する。
【０００２】
【従来の技術】
近年、電子カメラでは、被写体の光像を撮像して画像を生成する撮像部本体と、生成された画像を表示する表示部本体とを、回動自在に連結したものが開発されている。通常、この電子カメラの撮像部本体には、撮影レンズおよび撮像素子が配置されている。また、表示部本体には、液晶表示器（ＬＣＤ）が配置されている。
【０００３】
この電子カメラを用いることで操作者は、表示部本体に配置されたＬＣＤの表示画面でモニタしながら、撮影部本体に配置された撮影レンズを前方のみならず上方や下方など自由な方向に向けて、被写体を撮像することができる。また、撮像したその場で画像を再生して確認することもできる。
ところで、上記した電子カメラのように、分割された２つのボディユニット（撮像部本体，表示部本体）を回動自在に連結するためには、連結機構の一端を一方のボディユニットのカバーに固定し、他端を他方のボディユニットのカバーに回動可能に取り付けることになる。
【０００４】
【発明が解決しようとする課題】
しかし、ボディユニットのカバーが樹脂（プラスチック）製の場合には、ビスを用いて連結機構を直接ボディユニットのカバーに締結すると、ビスの周囲に応力集中が生じる。
したがって、樹脂製のカバーへの連結機構の取り付けを強固なものとするためには、樹脂製のカバーのビス止め部分を肉厚にしなければならない。カバーを肉厚にすると、電子カメラのコンパクト化には不利となってしまう。
【０００５】
一方、ボディユニットのカバーを金属製にすると、樹脂製のカバーに比べて強度が高いため、カバーを薄くしても連結機構を強固に締結でき、電子カメラのコンパクト化には有利である。しかし、金属製のカバーは高価なため、電子カメラの低コスト化には不利となってしまう。
本発明の目的は、ボディユニットのカバーが樹脂製の場合でも、樹脂カバーを肉厚にすることなく、この樹脂カバーに連結機構が強固に取り付けられた電子カメラを提供することにある。
【０００６】
【課題を解決するための手段】
（請求項１）
請求項１に記載の電子カメラは、樹脂製のカバー部材によって全体が覆われたボディユニットと、カバー部材の内側に配される固定部材と、カバー部材に形成された開口から内側に一端が嵌入されてカバー部材の内側において一端が固定部材に支持されるユニット連結用部材と、カバー部材の外側に配される金属製の補強部材と、カバー部材の内外に配された固定部材と補強部材とをカバー部材を挟んで締結する締結部材とを備えたものである。
【０００７】
このように、請求項１に記載の発明によれば、ボディユニット全体を覆うカバー部材を樹脂製としたので、電子カメラの低コスト化が図られる。
また、樹脂製のカバー部材の外側に金属製の補強部材を配し、この補強部材と、ユニット連結用部材の一端を支持する固定部材とにより、樹脂製のカバー部材を挟み込んで締結するので、この締結による力は分散して樹脂製のカバー部材に伝達される。したがって、樹脂製のカバー部材を薄くしても、ユニット連結用部材を樹脂製のカバー部材に強固に取り付けることができる。
【０００８】
（請求項２）
また、請求項２に記載の発明は、請求項１に記載の電子カメラにおいて、カバー部材を略直方体状とし、補強部材を、カバー部材の開口を含む連結面から該連結面に垂直な第１側面にかけてカバー部材の外側に沿って伸張された第１補強部材と、連結面から第１側面に対向する第２側面にかけてカバー部材の外側に沿って伸張された第２補強部材とで構成したものである。
【０００９】
したがって、請求項２に記載の発明によれば、金属製の補強部材に対し、ユニット連結用部材を樹脂製のカバー部材に強固に取り付けるための機能だけでなく、化粧板としての機能をも付与することができる。
（請求項３）
また、請求項３に記載の発明は、請求項２に記載の電子カメラにおいて、締結部材を複数のビスにて構成し、固定部材を、複数のビス用の雌ねじが形成された金属製の板材にて構成し、カバー部材を、連結面の大部分と第１側面とを含む第１カバー部材と、第２側面を含む第２カバー部材とで構成し、カバー部材における複数のビス用の貫通孔を、連結面の第１カバー部材側に全て形成し、補強部材における複数のビス用の貫通孔を、連結面に当接する第１補強部材および第２補強部材に分けて形成したものである。
【００１０】
したがって、請求項３に記載の発明によれば、第１カバー部材と第２カバー部材とを固定するための構造がなくても、第１補強部材と固定部材とで第１カバー部材を挟み込んで締結し、第２補強部材と固定部材とで第１および第２カバー部材を挟み込んで締結するだけで、簡単に組み立てることができる。
（請求項４）
また、請求項４に記載の発明は、請求項３に記載の電子カメラにおいて、複数のビス各々の頭部の、補強部材との当接面に、突起を設けたものである。
【００１１】
したがって、請求項４に記載の発明によれば、金属製の補強部材の表面に塗装やアルマイトが掛かっている場合でも、ビスを締め付けることによって突起が金属製の補強部材に食い込むため、金属製の補強部材とビスとの導通を確実にとることができる。
【００１２】
カバー部材の内側に配された金属製の固定部材とビスとは螺合によって導通されているため、この固定部材を電源のグランド（電池のマイナス端子）に接続しておくだけで、同時に金属製の補強部材をもグランドに接続することができる。その結果、外部で生じた静電気によって回路動作が不安定になるなどの影響を確実に回避できる。
【００１３】
【発明の実施の形態】
以下、本発明の実施形態について図面を用いて詳細に説明する。
本実施形態の電子カメラ１００は、請求項１〜請求項３に対応する。
電子カメラ１００は、図１（後方斜め上方から見た外観図）に示されるように、撮像部本体１０と表示部本体２０（請求項１の「ボディユニット」に対応する）とで構成されている。
【００１４】
このうち撮像部本体１０は、内部に図示されない撮影レンズユニットと撮像素子とが配置され、カバーの上面１０ｂに撮影レンズ用の開口部１１が配置されている。この撮像部本体１０では、撮影レンズユニットによって撮像素子上に被写体像が形成され、撮像素子によって被写体像の撮像および画像の生成がなされる。
ここで、撮像部本体１０のカバーは、撮像部本体１０を全体的に覆う略直方体状の樹脂カバー８０と、この樹脂カバー８０の外側から撮像部本体１０を部分的に覆うアルミニウム合金製の金属カバー９０とで構成されている。
【００１５】
一方、表示部本体２０は、内部に図示されないＬＣＤが配置され、カバーの後面２０ｂにＬＣＤ用の表示窓２１が配置されている。この表示部本体２０では、ＬＣＤによって、撮像部本体１０で生成された画像の表示や、撮影された画像の再生の他、電子カメラ１００の設定メニューの表示や、電子カメラ１００の機能の一覧表示がなされる。
【００１６】
この表示部本体２０にはその他、ズーム釦２２がカバーの後面２０ｂに、レリーズ釦２４とファンクション釦２５とがカバーの上面２０ｄに配置され、グリップ部２３がカバーの端面２０ｅ近傍に設けられている。
因みに、ズーム釦２２は、被写体像を拡大または縮小するために、撮像部本体１０内の撮影レンズユニットのレンズ位置を調整するものである。ファンクション釦２５は、電子カメラ１００の撮影モードを設定あるいは解除するための釦群である。
【００１７】
また、表示部本体２０の内部には、電池を収納する電池室や、画像処理にかかわる回路基板、着脱可能なメモリカードの装填室（図示されない）も配置されている。
ここで、表示部本体２０のカバーは、表示部本体２０を全体的に覆う略直方体状の樹脂カバー３０（請求項１の「カバー部材」に対応する）と、この樹脂カバー３０の外側から表示部本体２０を部分的に覆うアルミニウム合金製の金属カバー４０（請求項１の「補強部材」に対応する）とで構成されている。
【００１８】
さらに、上記のように構成された表示部本体２０のカバーの撮像部本体１０との連結面２０ａには、図１中、撮像部本体１０の切り欠き部分に示されるように、中空の連結軸５０（請求項１の「ユニット連結用部材」に対応する）が固定されている。
この連結軸５０の表示部本体２０のカバーへの固定に当たっては、ビス６０，６０，…（請求項１の「締結部材」に対応する）、および表示部本体２０のカバーの内側に配された金属板７０（請求項１の「固定部材」に対応する）が用いられる（詳細は後述する）。
【００１９】
また、このように表示部本体２０のカバーに固定された連結軸５０は、撮像部本体１０のカバーに対し、連結軸５０の中心軸５０ａ周りに回動可能（０°〜２７０°）に取り付けられている（詳細は後述する）。
したがって、上記のように構成された電子カメラ１００は、撮影時、図２に示されるように、撮像部本体１０と表示部本体２０とが所定角度だけ回動され、撮像部本体１０に配置された撮影レンズ用の開口部１１が被写体の方に向けられる。被写体が如何なる方向に位置していても、撮像部本体１０を表示部本体２０に対して回動させ、撮影レンズ用の開口部１１を被写体の方に向けて撮影することができる。
【００２０】
なお、撮像部本体１０内の構成要素と表示部本体２０内の構成要素とを電気的に接続するための配線は、連結軸５０（図１）の中空部に挿通されている。
次に、表示部本体２０のカバーの詳細な構造について説明する。
表示部本体２０のカバーのうち樹脂カバー３０は、金属カバー４０を取り去った樹脂カバー３０のみの外観図（図３）に示されるように、連結軸５０用の開口３３とビス６０用の貫通孔３４〜３７とが、１つの面（連結面３０ａ）に形成されたものである。ここで、表示部本体の樹脂カバー３０の厚さは、１．０ｍｍ〜１．２ｍｍである。
【００２１】
また、この樹脂カバー３０は、図３に示されるように、樹脂前カバー３１（請求項３の「第１カバー部材」に対応する）と、樹脂後カバー３２（請求項３の「第２カバー部材」に対応する）とに２分割されている。
このうち、樹脂前カバー３１は、連結面３０ａの大部分とこの連結面３０ａに垂直な前面３０ｃ（請求項２の「第１側面」に対応する）を含むものである。上記した貫通孔３４〜３７は全て、この樹脂前カバー３１に形成されている。
【００２２】
一方、樹脂後カバー３２は、主に、前面３０ｃに対向する後面３０ｂ（請求項２の「第２側面」に対応する）を含むものである。
なお、樹脂前カバー３１および樹脂後カバー３２には、金属カバー４０を取り付けるためのスリット（図示省略）が形成されている。
一方、このような樹脂カバー３０（図３）の外側に配される金属カバー４０は、図４に示されるように、金属前カバー４１（請求項２の「第１補強部材」に対応する）と、金属後カバー４２（請求項２の「第２補強部材」に対応する）とで構成されている。ここで、金属前カバー４１および金属後カバー４２の厚さは、何れも０．６ｍｍ〜０．８ｍｍである。
【００２３】
このうち金属前カバー４１は、樹脂カバー３０（図３）の連結面３０ａおよび前面３０ｃの外側に沿った形状をなす。この金属前カバー４１の上記連結面３０ａに当接する部位には、ビス６０用の貫通孔４４，４５が形成されている。
また、金属後カバー４２は、樹脂カバー３０（図３）の連結面３０ａおよび後面３０ｂの外側に沿った形状をなす。この金属後カバー４２の上記連結面３０ａに当接する部位には、ビス６０用の貫通孔４６，４７が形成されている。
【００２４】
なお、金属前カバー４１および金属後カバー４２には、樹脂カバー３０のスリット（不図示）に嵌合する突出部４８，４８，…が形成されている。
したがって、上記した樹脂カバー３０（図３）の外側に、上記した金属前カバー４１（図４）を被せると、金属前カバー４１の突出部４８，４８が樹脂カバー３０のスリットに嵌合されると共に、金属前カバー４１の貫通孔４５，４６が樹脂前カバー３１の貫通孔３４，３５の位置に重ねられる。このとき、金属前カバー４１は、樹脂カバー３０の連結面３０ａから前面３０ｃにかけて樹脂カバー３０の外側に沿って伸張されている。
【００２５】
一方、上記した樹脂カバー３０（図３）の外側に、上記した金属後カバー４２（図４）を被せると、金属後カバー４２の突出部４８，４８が樹脂カバー３０のスリットに嵌合されると共に、金属後カバー４２の貫通孔４６，４７が樹脂前カバー３１の貫通孔３６，３７の位置に重ねられる。このとき、金属後カバー４２は、樹脂カバー３０の連結面３０ａから後面３０ｂにかけて樹脂カバー３０の外側に沿って伸張されている。
【００２６】
その結果、表示部本体２０のカバーは、図１に示されるように、グリップ部２３およびその周囲において樹脂カバー３０が外部に露出し、その他では樹脂カバー３０と金属カバー４０との２重構造となる。
【００２７】
ところで、上記した表示部本体２０のカバーへの連結軸５０の固定に当たっては、４つのビス６０，６０，…の他、表示部本体２０のカバーの内側に配される金属板７０が用いられる。
この金属板７０は、図５に示されるように、連結軸５０用の開口７３とビス６０用の雌ねじ７４〜７７とが形成されたものである。これら開口７３および雌ねじ７４〜７７の配置は、樹脂カバー３０（図３）の開口３３および貫通孔３４〜３７の配置に対応したものである。
【００２８】
次に、上記した金属板７０と４つのビス６０，６０，…とによる、表示部本体２０のカバーへの連結軸５０の固定について、図６，図７を用いて説明する。
図６は、図１中、中心軸５０ａを横切るＡ−Ａ線で切り欠いて矢印方向に見た断面図である。図７は、図１中、ビス６０の高さを横切るＢ−Ｂ線で切り欠いて矢印方向に見た断面図である。なお、図６，図７では、電子カメラ１００の内部構造については図示省略されている。
【００２９】
ここで、表示部本体２０のカバーに固定される連結軸５０は、図８に示されるように、一端５０ｂに、段付き部５３と肉薄部５４とが設けられたものである。
図６に示されるように、樹脂カバー３０の開口３３から内側に嵌入された連結軸５０の一端５０ｂは、その段付き部５３で金属板７０の開口７３に当接する。そして、連結軸５０の一端５０ｂに設けた肉薄部５４をかしめることにより、連結軸５０の一端５０ｂと金属板７０とが固着される。
【００３０】
一方、連結軸５０の一端５０ｂが固着された金属板７０は、図７に示されるように、ビス６０，６０，…により、表示部本体２０のカバー（樹脂カバー３０，金属カバー４０）に締結される。
このようにして、表示部本体２０のカバー（樹脂カバー３０，金属カバー４０）に、連結軸５０の一端５０ａが固定される。
【００３１】
次に、撮像部本体１０のカバーの詳細な構造、および、上記のようにして表示部本体２０のカバーに固定された連結軸５０（図６）の、撮像部本体１０のカバーへの取り付けについて説明する。
この連結軸５０の撮像部本体１０のカバーへの取り付けに当たっては、図６，図７に示されるように、ビス６５，６５，…と、撮像部本体１０のカバーの内側に配された金属板７５とが用いられる。
【００３２】
ここで、金属板７５は、上記した金属板７０と同様、連結軸５０用の開口とビス６５用の雌ねじとが形成されたものである。
また、撮像部本体１０の樹脂カバー８０は、上記した樹脂カバー３０と同様、連結軸５０用の開口とビス６５用の貫通孔とが、１つの面に形成されたものである。
【００３３】
さらに、この樹脂カバー８０は、上記した樹脂カバー３０と同様、樹脂前カバー８１と樹脂後カバー８２とに２分割され、このうち樹脂前カバー８１の方に、上記した貫通孔が全て形成されている。
一方、このような樹脂カバー８０の外側に配される金属カバー９０は、上記した金属カバー４０と同様、金属前カバー９１と金属後カバー９２とで構成されている。
【００３４】
これら金属前カバー９１および金属後カバー９２は、樹脂カバー８０の外側に沿った形状をなし、樹脂カバー８０の貫通孔に対応する位置には、同様の貫通孔が形成されている。
ここで、上記した撮像部本体１０のカバー（樹脂カバー８０，金属カバー９０）に取り付けられる連結軸５０の他端５０ｃには、図８に示されるように、段付き部５５と、雄ねじ５６と、溝５７とが形成されている。
【００３５】
図６に示されるように、樹脂カバー８０の開口から内側に嵌入された連結軸５０の他端５０ｃは、その段付き部５５で金属板７５の開口に当接する。
そして、連結軸５０の他端５０ｃに設けた溝５７にウエーブワッシャ５９の突起（図示省略）を嵌合されると共に、雄ねじ５６にナット５８を螺合させることにより、金属板７５が、ナット５８（ウエーブワッシャ５９）と段付き部５５との間に挟み込まれる。
【００３６】
一方、連結軸５０の他端５０ｃに挟み込まれた金属板７５は、図７に示されるように、ビス６５，６５，…により、撮像部本体１０のカバー（樹脂カバー８０，金属カバー９０）に締結される。
したがって、連結軸５０の他端は５０ｃは、金属板７５を挟み込んだ状態で、撮像部本体１０のカバーに対し、連結軸５０の中心軸５０ａ周りに回動可能に取り付けられる。
【００３７】
なお、ウエーブワッシャ５９は、突起（図示省略）が溝５７に嵌合しているため、回動することができない。したがって、撮像部本体１０のカバー（樹脂カバー８０，金属カバー９０）と一体となって金属板７５が回動しても、ナット５８が緩むことはない。
また、ウエーブワッシャ５９のばね力により、回動時のがたつきが防止されると共に、一定の摩擦力が付与されている。
【００３８】
このため、回動時でも、撮像部本体１０の金属板７５と表示部本体３０の金属板７０との間隔は、連結軸５０に形成された段付き部５３，５５で決まる一定の間隔に保持される。
以上説明したように、本実施形態の電子カメラ１００によれば、表示部本体２０において、樹脂カバー３０の外側に金属カバー４０を配し、この金属カバー４０と、連結軸５０の一端５０ｂを支持する金属板７０とで、樹脂カバー３０を挟み込んで締結したので、樹脂カバー３０にはビス６０，６０，…による力が分散されて伝達される。したがって、樹脂カバー３０を薄くしても（例えば１．０ｍｍ〜１．２ｍｍ）、連結軸５０の一端５０ｂを樹脂カバー３０に強固に固定することができる。
【００３９】
また、表示部本体２０の金属カバー４０は、連結軸５０が固定される連結面２０ａだけでなく、表示部本体２０の前面や後面にまで伸張されているので、連結軸５０を表示部本体２０のカバーに取り付ける際の補強板として機能するだけでなく、化粧板としても機能することになる。
さらに、樹脂前カバー３１と樹脂後カバー３２とを固定するための特別な構造がなくても、金属前カバー４１と金属板７０とで樹脂前カバー３１を挟み込んで締結し、金属後カバー４２と金属板７０とで樹脂前カバー３１および樹脂後カバー３２を挟み込んで締結するだけで、簡単に組み立てることができる。
【００４０】
また、表示部本体２０の全体を樹脂カバー３０で覆うようにしたので、低コスト化が図られる。さらに、表示部本体２０内に配置された回路基板への静電気の影響を少なくすることもできる。
一方、撮像部本体１０においても同様に、樹脂カバー８０の外側に金属カバー９０を配し、この金属カバー９０と、連結軸５０の他端５０ｃを支持する金属板７５とで、樹脂カバー８０を挟み込んで締結したので、樹脂カバー８０にはビス６５，６５，…による力が分散されて伝達される。したがって、樹脂カバー８０を薄くしても（例えば１．０ｍｍ〜１．２ｍｍ）、連結軸５０の他端５０ｃを樹脂カバー８０に強固に連結可能に取り付けることができる。
【００４１】
また、撮像部本体１０の金属カバー９０も、連結軸５０が固定される面だけでなく、撮像部本体１０の前面や後面にまで伸張されているので、連結軸５０を撮像部本体１０のカバーに取り付ける際の補強板として機能するだけでなく、化粧板としても機能することになる。
さらに、樹脂前カバー８１と樹脂後カバー８２とを固定するための特別な構造がなくても、金属前カバー９１と金属板７５とで樹脂前カバー８１を挟み込んで締結し、金属後カバー９２と金属板７５とで樹脂前カバー８１および樹脂後カバー８２を挟み込んで締結するだけで、簡単に組み立てることができる。
【００４２】
また、撮像部本体１０の全体を樹脂カバー８０で覆うようにしたので、低コスト化が図られる。さらに、撮像部本体１０内に配置された回路基板への静電気の影響を少なくすることもできる。
なお、上記した実施形態では、表示部本体２０のカバーに連結軸５０を固定するに当たってビス６０，６０，…を用いる例を説明したが、図９に示されるように、頭部に突起６１ａ，６１ａ，…を設けたビス６１（請求項４）を用いても同様に、表示部本体２０のカバーと連結軸５０とを強固に固定することができる。
【００４３】
さらに、図９に示されるビス６１を用いる場合には、ビス６１の頭部に設けられた突起６１ａ，６１ａ，…が、ビス６１の締め付け時に金属カバー４０に食い込むことになる。したがって、金属カバー４０の表面に塗装やアルマイトが掛かっている場合でも、金属カバー４０とビス６１との導通を確実にとることができる。
【００４４】
ここで、樹脂カバー３０の内側に配された金属板７０とビス６１とは螺合によって導通されるため、この金属板７０を電池のマイナス端子に接続しておくだけで、ビス６１の締結と同時に、簡単に金属カバー４０をもグランドに接続することができる。その結果、外部で生じた静電気によって表示部本体２０内の回路動作が不安定になるなどの影響を確実に回避できる。この変形例は、内蔵部品を収納するために、樹脂カバー３０の一部に穴が開けられ、金属カバー４０が内部にむき出しになっている場合に有効である。
【００４５】
また、上記した実施形態では、表示部本体２０のカバーに連結軸５０を固定するに当たってビス６０（６１）を用いる例を説明したが、図１０（図６の断面図に相当する）に示されるように、ナット６９を用いても同様に、表示部本体２０のカバーと連結軸５０とを強固に固定することができる。この場合には連結軸５０の所定位置に雄ねじ６９ａが形成される。
【００４６】
さらに、上記したビス６１（図９）と同様、図１０に示されるナット６９に突起６９ｂ，６９ｂ，…を設けておく（図１１）ことで、ナット６９の締め付け時に、金属カバー４０とナット６９との導通を確実にとることができる。
ここで、ナット６９と連結軸５０とは螺合によって導通され、連結軸５０と金属板７０とはかしめによって導通されているため、この金属板７０を電池のマイナス端子に接続しておくだけで、ナット６９の締結と同時に、簡単に金属カバー４０をもグランドに接続することができる。その結果、外部で生じた静電気によって表示部本体２０内の回路動作が不安定になるなどの影響を確実に回避できる。
【００４７】
また、上記した実施形態では、表示部本体２０の金属カバー４０が表示部本体２０の前面や後面にまで伸張されている例を挙げて説明したが、この金属カバー４０に化粧板としての機能を与える必要がないときには、金属カバー４０を連結軸５０が固定される連結面２０ａにだけ配しておくことで、連結軸５０を表示部本体２０のカバーに強固に固定することができる。
【００４８】
さらに、上記した実施形態では、撮像部本体１０と表示部本体２０との２つで構成された電子カメラ１００を例に説明したが、例えば、撮像部本体と表示部本体と電子閃光部との３つで構成されている電子カメラに対して本発明を適用することもできる。
また、上記した実施形態では、連結軸５０が樹脂カバー３０内の金属板７０に固着されている例、および連結軸５０が樹脂カバー８０内の金属板７５に回動可能に取り付けられている例を説明したが、本発明は連結軸を樹脂カバー内の金属板に着脱可能または３次元的変位可能に取り付ける場合に適用することもできる。
【００４９】
さらに、上記した実施形態では、金属カバー４０，９０をアルミニウム合金製としたが、その他、鉄やマグネシウムなどを用いることもできる。
【００５０】
【発明の効果】
上記したように、請求項１〜請求項４に記載の発明によれば、ボディユニットのカバー部材が樹脂製の場合でも、このカバー部材にユニット連結用部材を強固に取り付けることができる。このとき、樹脂製のカバー部材を肉薄にすることができるので、電子カメラの小型化に貢献できる。また、ボディユニット全体を樹脂製のカバー部材で覆うので、電子カメラの低コスト化も図られる。
【図面の簡単な説明】
【図１】電子カメラ１００を後方斜め上方から見た外観図である。
【図２】電子カメラ１００の撮影時の状態を示す外観図である。
【図３】表示部本体２０の樹脂カバー３０の外観図である。
【図４】樹脂カバー３０の外側に配される金属カバー４０の外観図である。
【図５】樹脂カバー３０の内側に配される金属板７０の外観図である。
【図６】電子カメラ１００を図１中Ａ−Ａ線で切り欠いて矢印方向に見た断面図である。
【図７】電子カメラ１００を図１中Ｂ−Ｂ線で切り欠いて矢印方向に見た断面図である。
【図８】連結軸５０の外観図である。
【図９】突起を設けたビス６０の外観図である。
【図１０】ナット６９を用いて表示部本体２０に連結軸５０を固定する例の説明図である。
【図１１】突起を設けたナット６９の外観図である。
【符号の説明】
１０  撮像部本体
１１  開口部
２０  表示部本体
２１  表示窓
２２  ズーム釦
２３  グリップ部
２４  レリーズ釦
２５  設定釦
３０，８０  樹脂カバー
３１，８１  樹脂前カバー
３２，８２  樹脂後カバー
３３，７３  開口
３４〜３７，４４〜４７  貫通孔
４０，９０  金属カバー
４１，９１  金属前カバー
４２，９２  金属後カバー
５０  連結軸
５０ａ  中心軸
５０ｂ  一端
５０ｃ  他端
５３，５５  段付き部
５４  肉薄部
５６，６９ａ  雄ねじ
５８，６９  ナット
５９  ウェーブワッシャ
６０，６１，６５  ビス
７０，７５  金属板
７４〜７７  雌ねじ
１００  電子カメラ
【図１】
0004003282.tif 000002
【図２】
0004003282.tif 000003
【図３】
0004003282.tif 000004
【図４】
0004003282.tif 000005
【図５】
0004003282.tif 000006
【図６】
0004003282.tif 000007
【図７】
0004003282.tif 000008
【図８】
0004003282.tif 000009
【図９】
0004003282.tif 000010
【図１０】
0004003282.tif 000011
【図１１】
0004003282.tif 000012